(57)【要約】      （修正有）【課題】立体映像を投射することができる空中投影式立体視万華鏡を提供する。【解決手段】多重層反射面を有する色彩プレート３０と、色彩プレートの多重層反射面に面する少なくとも一つの発光部を有する照明部材４０と、複数の反射鏡と色彩プレートの多重層反射面に面する一端とを有する反射鏡部材５０と、接物レンズフレーム６２と、接物レンズフレームと反射鏡部材との間に設けられる接物レンズ６１とを有する接物レンズ部材６０と、反射鏡部材の外側に位置する接眼レンズフレームと、接眼レンズフレームに設けられる少なくとも一つの接眼レンズとを有する接眼レンズ部材７０とを有する。【選択図】図２
0003201330.tif 000002
【実用新案登録請求の範囲】
【請求項１】
ベースと、前記ベースに覆設されるカバーと、前記カバーに形成される覗き穴とを有するケーシングと、
前記ベースに固定される固定フレームと、前記固定フレームにおけるベースの反対端に設けられるモーターとを有するモーター部材と、
前記モーターに連結されて駆動されると共に、多重層反射面を有する色彩プレートと、
前記ケーシングの内部に設けられ、前記色彩プレートの多重層反射面に面する発光部を有する照明部材と、
前記ベースに設けられ、複数の反射鏡と、前記色彩プレートの多重層反射面に面する一端と、前記カバーの覗き穴に面するもう一端とを有する反射鏡部材と、
前記ベースに設けられる接物レンズフレームと、前記接物レンズフレームと前記反射鏡部材との間に設けられる接物レンズとを有する接物レンズ部材と、
前記ベースに設けられる接眼レンズフレームと、前記接眼レンズフレームにおける前記ベースの反対端に設けられると共に、カバーの覗き穴の近傍に位置する接眼レンズとを有する接眼レンズ部材と、
を有することを特徴とする空中投影式立体視万華鏡。
【請求項２】
前記ベースに枠組みが設けられ、
前記反射鏡部材は、該枠組みに設けられ、逆Ｖ字形に配置される二枚の反射鏡を有し、
前記二枚の反射鏡における前記色彩プレートに面する端に映像フレームが設けられ、
前記映像フレームは、波状、ジグザグ形、規則形状または不規則形状を呈するものであることを特徴とする請求項１に記載の空中投影式立体視万華鏡。
【請求項３】
前記接物レンズ部材の接物レンズフレームは、前記ベースの枠組みに対して角度をなし、
前記接物レンズにおける該接物レンズフレームの反対端に、遮断プレートが設けられ、該遮断プレートは、中央部に貫通孔が形成される不透明色プレートであることを特徴とする請求項２に記載の空中投影式立体視万華鏡。
【請求項４】
前記接眼レンズ部材は、前記ベースの枠組みに設けられる接眼レンズフレームと、複数の接物レンズとを有することを特徴とする請求項３に記載の空中投影式立体視万華鏡。
【請求項５】
前記照明部材は、二つの支持部材と、二つの保持部材と、二つのランプとを有し、
前記二つの支持部材の一端は、前記固定フレームに固定され、前記二つの支持部材のもう一端は、それぞれ前記二つの保持部材に連結され、
各ランプは前記各保持部材に螺合され、前記色彩プレートの多重層反射面に面する発光部を有することを特徴とする請求項４に記載の空中投影式立体視万華鏡。
【請求項６】
該反射鏡部材の底部および該接物レンズフレームの前部の底部に光源が設けられると共に、該反射鏡部材の裏側に花模様装飾部材が設けられることを特徴とする請求項１〜５のいずれか一項に記載の空中投影式立体視万華鏡。
【請求項７】
多重層反射面を有する色彩プレートと、
前記色彩プレートの多重層反射面に面する少なくとも一つ発光部を有する照明部材と、
複数の反射鏡と、前記色彩プレートの多重層反射面に面する一端とを有する反射鏡部材と、
接物レンズフレームと、前記接物レンズフレームと前記反射鏡部材との間に設けられる接物レンズとを有する接物レンズ部材と、
前記反射鏡部材の外側に位置する接眼レンズフレームと、前記接眼レンズフレームに設けられる少なくとも一つ接物レンズとを有する接眼レンズ部材とを有することを特徴とする空中投影式立体視万華鏡。
【請求項８】
前記反射鏡部材は、逆Ｖ字形に配置される二枚の反射鏡を有し、
前記二枚の反射鏡における前記色彩プレートに面する端に映像フレームが設けられ、
前記映像フレームは、波状、ジグザグ形、規則形状または不規則形状を呈するものであることを特徴とする請求項７に記載の空中投影式立体視万華鏡。
【請求項９】
前記接物レンズにおける該接物レンズフレームの反対端に、遮断プレートが設けられ、該遮断プレートは、中央部に貫通孔が形成される不透明色プレートであることを特徴とする請求項８に記載の空中投影式立体視万華鏡。
【請求項１０】
前記接物レンズは、弧状の透明アクリル円盤と透明アクリル板とからなる中空式構成の内部に透明液体を充填してなる中空式凸レンズであり、
前記接眼レンズは、弧状の透明アクリル円盤と透明アクリル板とからなる中空式構成の内部に透明液体を充填してなる中空式凸レンズであることを特徴とする請求項７〜９のいずれか一項に記載の空中投影式立体視万華鏡。
【考案の詳細な説明】
【技術分野】
【０００１】
本考案は、万華鏡に関し、特に空中投影式立体視万華鏡に関するものである。
【背景技術】
【０００２】
従来の万華鏡は、内部に反射鏡セットが設けられると共に、一端に接眼レンズが設けられる筒本体と、回転可能に該筒本体における前記接眼レンズに反対するもう一端に取付けられると共に、複数の細片やビーズを収容する箱部材とを有する。該箱部材を回転させると、前記細片やビーズが不規則に移動する。光が入って前記反射鏡セットで反射すると、該箱部材および該反射鏡セットにより前記細片やビーズの動きに従って変化するいろいろな模様が見える。
【考案の概要】
【考案が解決しようとする課題】
【０００３】
しかしながら、従来の万華鏡の模様は立体感のない平面模様であり、この模様の変化も前記細片やビーズの動きによるシンプルなものであるので、模様の立体感および変化性の欠如が問題になってしまう。また、明かりのあるところで、光を前記箱部材に入らせ、反射鏡セットで反射させなくては、模様が見えるようにすることができないので、外部光源を伴わなくては使用できなかった。さらに、使用者は片目で該筒本体を覗きこむように使用しなくてはならないので、利便性に欠けている。即ち、従来の万華鏡は、変化性の乏しさ、立体感の不足、ならびに外部光源を必要とするといった問題があった。
【０００４】
そこで、案出されたのが本考案であって、光源、反射鏡部材、および立体映像形成用レンズ部材を内蔵し、該内蔵光源により映像の変化性を増大させ、使用者が両眼視で直接に見えるように、該反射鏡部材および該立体映像形成用レンズ部材により立体映像を投射することができる空中投影式立体視万華鏡を提供し、従来の万華鏡における変化性、立体感が不足と共に、外部光源を伴わなくては使用できない問題を解決することを目的としている。
【課題を解決するための手段】
【０００５】
本願の第１の発明は、ベースと、前記ベースに覆設されるカバーと、前記カバーに形成される覗き穴とを有するケーシングと、
前記ベースに固定される固定フレームと、前記固定フレームにおけるベースの反対端に設けられるモーターとを有するモーター部材と、
前記モーターに連結されて駆動されると共に、多重層反射面を有する色彩プレートと、
前記ケーシングの内部に設けられ、前記色彩プレートの多重層反射面に面する発光部を有する照明部材と、
前記ベースに設けられ、複数の反射鏡と、前記色彩プレートの多重層反射面に面する一端と、前記カバーの覗き穴に面するもう一端とを有する反射鏡部材と、
前記ベースに設けられる接物レンズフレームと、前記接物レンズフレームと前記反射鏡部材との間に設けられる接物レンズとを有する接物レンズ部材と、
前記ベースに設けられる接眼レンズフレームと、前記接眼レンズフレームにおける前記ベースの反対端に設けられると共に、カバーの覗き穴の近傍に位置する接眼レンズとを有する接眼レンズ部材と、
を有することを特徴とする空中投影式立体視万華鏡に関する。
【０００６】
本願の第２の発明は、第１の空中投影式立体視万華鏡において、前記ベースに枠組みが設けられ、
前記反射鏡部材は、該枠組みに設けられ、逆Ｖ字形に配置される二枚の反射鏡を有し、
前記二枚の反射鏡における前記色彩プレートに面する端に映像フレームが設けられ、
前記映像フレームは、波状、ジグザグ形、規則形状または不規則形状を呈するものであることを特徴とする。
【０００７】
本願の第３の発明は、第２の空中投影式立体視万華鏡において、前記接物レンズ部材の接物レンズフレームは、前記ベースの枠組みに対して角度をなし、
前記接物レンズにおける該接物レンズフレームの反対端に、遮断プレートが設けられ、該遮断プレートは、中央部に貫通孔が形成される不透明色プレートであることを特徴とする。
【０００８】
本願の第４の発明は、第３の空中投影式立体視万華鏡において、前記接眼レンズ部材は、前記ベースの枠組みに設けられる接眼レンズフレームと、複数の接物レンズとを有することを特徴とする。
【０００９】
本願の第５の発明は、第４の空中投影式立体視万華鏡において、前記照明部材は、二つの支持部材と、二つの保持部材と、二つのランプとを有し、
前記二つの支持部材の一端は、前記固定フレームに固定され、前記二つの支持部材のもう一端は、それぞれ前記二つの保持部材に連結され、
各ランプは前記各保持部材に螺合され、前記色彩プレートの多重層反射面に面する発光部を有することを特徴とする。
【００１０】
本願の第６の発明は、第１〜５のいずれかの空中投影式立体視万華鏡において、該反射鏡部材の底部および該接物レンズフレームの前部の底部に光源が設けられると共に、該反射鏡部材の裏側に花模様装飾部材が設けられることを特徴とする。
【００１１】
本願の第７の発明は、多重層反射面を有する色彩プレートと、
前記色彩プレートの多重層反射面に面する少なくとも一つ発光部を有する照明部材と、
複数の反射鏡と、前記色彩プレートの多重層反射面に面する一端とを有する反射鏡部材と、
接物レンズフレームと、前記接物レンズフレームと前記反射鏡部材との間に設けられる接物レンズとを有する接物レンズ部材と、
前記反射鏡部材の外側に位置する接眼レンズフレームと、前記接眼レンズフレームに設けられる少なくとも一つ接物レンズとを有する接眼レンズ部材とを有することを特徴とする空中投影式立体視万華鏡に関する。
【００１２】
本願の第８の発明は、第７の空中投影式立体視万華鏡において、前記反射鏡部材は、逆Ｖ字形に配置される二枚の反射鏡を有し、
前記二枚の反射鏡における前記色彩プレートに面する端に映像フレームが設けられ、
前記映像フレームは、波状、ジグザグ形、規則形状または不規則形状を呈するものであることを特徴とする。
【００１３】
本願の第９の発明は、第８の空中投影式立体視万華鏡において、前記接物レンズにおける該接物レンズフレームの反対端に、遮断プレートが設けられ、該遮断プレートは、中央部に貫通孔が形成される不透明色プレートであることを特徴とする。
【００１４】
本願の第１０の発明は、第７〜９のいずれかの空中投影式立体視万華鏡において、前記接物レンズは、弧状の透明アクリル円盤と透明アクリル板とからなる中空式構成の内部に透明液体を充填してなる中空式凸レンズであり、
前記接眼レンズは、弧状の透明アクリル円盤と透明アクリル板とからなる中空式構成の内部に透明液体を充填してなる中空式凸レンズであることを特徴とする。
【考案の効果】
【００１５】
本考案は上記の課題を解決するものであり、以下の効果を提供することができる：
１．本考案に係る空中投影式立体視万華鏡は、モーターの駆動で色彩プレートを回転させ、該照明部材で回転する色彩プレートの多重層反射面に光線を照射することにより、該色彩プレートで色や形状が多様に変化する模様を表示させ、該接物レンズ部材および接眼レンズ部材が接物レンズおよび接眼レンズを用いて、該色彩プレートの模様に基づいた、使用者の両眼に視差のある立体映像を、該万華鏡の外部における空中に浮かぶように見えるように投影するので、従来の万華鏡における変化性、立体感が不足と共に、外部光源を伴わなくては使用できない問題を解決することができる。
２．本考案に係る空中投影式立体視万華鏡における凸レンズは、弧状の透明アクリル円盤と透明アクリル板とからなる中空式構成の内部に透明液体を充填してなるものであるので、有効に製造難度および製造コストを低減させ、大型凸レンズの製造難度の増大および製造コストの高騰による問題を解決することができる。
【図面の簡単な説明】
【００１６】
【図１】本考案に係る空中投影式立体視万華鏡の第一実施形態を示す斜視図である。
【図２】本考案に係る空中投影式立体視万華鏡の第一実施形態を示す一部分解斜視図である。
【図３】本考案に係る空中投影式立体視万華鏡の第一実施形態を示す他の一部分解斜視図である。
【図４】本考案に係る空中投影式立体視万華鏡の第一実施形態を示す側面一部断面図である。
【図５】本考案に係る空中投影式立体視万華鏡の第一実施形態における光路及び使用状態を示す側面一部断面図である。
【図６】本考案に係る空中投影式立体視万華鏡の第一実施形態における光路及び使用状態を示す平面一部断面図である。
【図７】本考案に係る空中投影式立体視万華鏡の第二実施形態を示す一部分解斜視図である。
【図８】本考案に係る空中投影式立体視万華鏡の第二実施形態における光路及び使用状態を示す側面一部断面図である。
【考案を実施するための形態】
【００１７】
以下、添付図面を参照して本考案の好適な実施の形態を詳細に説明する。
【００１８】
図１及び２に示すように、本考案の第一実施形態に係る空中投影式立体視万華鏡は、ケーシング１０の内部に設けられるものである。該ケーシング１０は、長方体、多角体、球体などの形状を呈する箱本体である。図示されるケーシング１０は、長方体を呈するものであり、ベース１１と、カバー１２とを備える。該カバー１２は、中空状を呈し、底部に開口が形成されるものである。前記カバー１２は、開口が前記ベース１１に符合するように前記ベース１１に覆設される。該カバー１２は、少なくとも一つの側壁と、上面と、外側面と、該少なくとも一つの側壁に形成される一つの覗き穴１２１と、該覗き穴１２の裏側に設けられる透明ふた１２２と、該上面または外側面に設けられる電源スイッチ１２３と、該上面または外側面に設けられる照明スイッチ１２４とを有する。前記電源スイッチ１２３および照明スイッチ１２４は、本考案の第一実施形態に係る空中投影式立体視万華鏡の作動および照明のエネルギー源としての電源（図示せず）に連接される。
【００１９】
前記ケーシング１０のベース１１に、多様に変化すると共に、空中浮遊式立体映像を使用者の鑑賞に供するための、モーター部材２０、色彩プレート３０、照明部材４０、反射鏡部材５０、接物レンズ部材６０および接眼レンズ部材７０が設けられる。また、前記モーター部材２０と、色彩プレート３０と、反射鏡部材５０と、接物レンズ部材６０と、接眼レンズ部材７０とは、同軸に設けられる。
【００２０】
図３及び４に示すように、前記モーター部材２０は、固定フレーム２１と、モーター２２とを備える。該固定フレーム２１の一端は、前記ベース１１に螺合され、該モーター２２は、該固定フレーム２１のもう一端に螺合される。なお、該固定フレーム２１の両端の間には、該モーター２２を後方へ傾斜させるように、鈍角を呈する。該モーター２２は、電気の供給より回転することができる回転軸２２１を有する。
【００２１】
前記色彩プレート３０は、六角形を呈するものであるが、他の実施形態として、例えば、八角形、または円形を呈するものであってもよい。該色彩プレート３０は、多重層反射面を有する。該色彩プレート３０の多重層反射面は、前記反射鏡部材５０に面するものである。該色彩プレート３０は、外側に設けられるプレートフレーム３１を有し、該プレートフレーム３１は三つのコネクター３２を有する。本実施形態において、該三つのコネクター３２は、同一平面に三つ又状に配置される。前記コネクター３２同士が交差する箇所と、前記モーター２２の回転軸２２１とが連結される。また、前記三つのコネクター３２の先端は、前記色彩プレート３０の縁部をほじするための爪をなす。該色彩プレート３０は、複数の収容部材３０１を有する。該複数の収容部材３０１は対称的に配置され、それぞれ密閉性を有するものである。図３に示すように、それらの収容部材３０１の間に、複数の細片、複数のビーズ、例えば油や水などの複数種類の溶液が封入されても良い。その内、照明部材４０から照射される光線を受ける時、該色彩プレート３０が表示できる色およぶ模様の変化性が増大するように、前記複数の細片、ビーズや溶液は異なる色を有することが好ましい。なお、前記多重層反射面は、前記色彩プレート３０における前記プレートフレーム３１の反対側に設けられる。
【００２２】
前記照明部材４０は、二つの支持部材４１と、二つの保持部材４２と、二つのランプ４３とを有する。前記二つの支持部材４１の一端は、前記固定フレーム２１、前記ベース１１または前記カバー１２に固定される。前記二つの支持部材４１のもう一端は、それぞれ二つの保持部材４２に連結される。各ランプ４３は前記各保持部材４２に螺合されると共に、発光部を有する。各ランプ４３の発光部は、前記色彩プレート３０の多重層反射面に面する。本実施形態において、これらの支持部材４１は、需要に応じる光線照射角度に湾曲することができるように、例えば鉄またはアルミなどの可撓性を有する材料からなるものである。また、前記ランプ４３は、発光ダイオードまたはレーザーによる発光するものである。
【００２３】
前記ベース１１に、前記反射鏡部材５０、接物レンズ部材６０および接眼レンズ部材７０を保持するための枠組み１１１が設けられる。該枠組み１１１は、逆Ｕ字形の断面を有すると共に、前記色彩プレート３０の多重層反射面に面する端と、該色彩プレート３０の多重層反射面に面する端に設けられる傾斜プレート１１２とを有する。前記反射鏡部材５０は、前記ベース１１における枠組み１１１の傾斜プレート１１２に設けられる。本実施形態において、前記反射鏡部材５０の一端は、上述した通り、前記色彩プレート３０の多重層反射面に面するものである。該反射鏡部材５０のもう一端は、カバー１２の覗き穴１２１に面する。該反射鏡部材５０は、複数の反射鏡５１を備え、各反射鏡５１の裏側および表側は、共に鏡面をなす表面である。図３に示すように、例えば逆Ｖ字形に配置される二枚の反射鏡５１、又は二等辺三角形に配置される三枚の反射鏡５１からなる構成であったもよい。該反射鏡部材５０の前記複数の反射鏡５１における前記色彩プレート３０に面する端の結合部に映像フレーム５２が設けられる。該映像フレーム５２は、波状、ジグザグ形、規則形状または不規則形状を呈するものである。上述したように設けられる該映像フレーム５２は、該色彩プレート３０の一部を被覆することにより、表示される映像を、使用者の両眼に視差のある立体映像になるように、前記反射鏡部材５０、接物レンズ部材６０および接眼レンズ部材７０を通過させるので、該色彩プレート３０と共に、遠近感、被写界深度、色彩、模様に変化性を有する映像を提供する。即ち、より立体感を有する映像を提供することができる。また、前記反射鏡部材５０における複数の反射鏡５１は、例えば方形、台形などの多辺形に配置されても構わない。
【００２４】
前記接物レンズ部材６０は、接物レンズ６１と、接物レンズフレーム６２とを有する。該接物レンズフレーム６２は、前記ベース１１の枠組み１１１に対して角度をなすように、該ベース１１の枠組み１１１に設けられるものである。前記接物レンズ６１は、前記反射鏡部材５０と前記接物レンズフレーム６２との間に設けられ、方形を呈するプレートである。該接物レンズ６１の中央部には、丸穴６２１が形成される。該丸穴６２１は、該接物レンズ６１より面積が小さいものである。該接物レンズフレーム６２は該接物レンズ６１の一部を被覆するので、該色彩プレート３０の映像が平気に該接眼レンズ部材７０に投影させることができる。前記接物レンズ６１における該接物レンズフレーム６２の反対端に遮断プレート６３が設けられる。図３に示すように、該遮断プレート６３は、中央部に貫通孔６３１が形成される不透明色プレートである。前記貫通孔６３１は、前記色彩プレート３０の多重層反射面で反射される光線の通過に供するものである。該遮断プレート６３と前記色彩プレート３０とは、その間に距離が開けられるように位置するので、立体映像の立体感を増大させることができる。本実施形態において、前記接物レンズ６１は凸レンズであり、該接物レンズ６１である凸レンズの一面は弧状を呈し、もう一面は平面状を呈する。該接物レンズ６１における平面状を呈する面は、前記反射鏡部材５０に面する。また、本考案に係る空中投影式立体視万華鏡における凸レンズが、弧状の透明アクリル円盤と透明アクリル板とからなる中空式構成の内部に透明液体を充填してなるものであることが好ましい。
【００２５】
図４に示すように、前記接眼レンズ部材７０は、接眼レンズフレーム７１と、三枚の接眼レンズ７２とを有する。該接眼レンズフレーム７１は、前記枠組み１１１における前記傾斜プレート１１２の反対端に設けられる。前記接眼レンズフレーム７１は、二枚の支持プレートからなるものであり、その一端は前記枠組み１１１に結合されると共に、もう一端には、それらの接眼レンズ７２を保持するための複数の凹入部７１１が形成される。それらの接眼レンズ７２は、それぞれ前記複数の凹入部７１１に保持され、カバー１２の覗き穴１２１の近傍に位置する。本実施形態において、それらの接眼レンズ７２は凸レンズであり、この凸レンズの一面は弧状を呈し、もう一面は平面状を呈する。前記覗き穴１２１に最も近接している二枚の接眼レンズ７２はその平面状の面で互いに結合され、もう一枚の接眼レンズ７２は、その弧状を呈する面で前記接物レンズ部材６０に面している。前記接眼レンズ部材７０における接眼レンズ７２は、表示しようとしている映像の違いにより、異なる型式、数、サイズ、焦点距離、間隔を有してもよい。また、それら接眼レンズ７２を正面や反面などの様々な配置で組み合わせ、至適化された視差で立体映像効果を図ることができる。
【００２６】
図５及び６に示すように、本実施形態に係る空中投影式立体視万華鏡は、モーター部材２０のモーター２２で色彩プレート３０を駆動させるものである。該照明部材４０の二つのランプ４３は、それぞれ回転する前記色彩プレート３０の多重層反射面に対して光線を照射する。該色彩プレート３０が回転する時、該色彩プレート３０の中の細片、ビーズおよび溶液による映像は前記反射鏡５１の鏡面により反射されると、無数のパッターンで変化する色彩、模様が、前記接物レンズ部材６０及び接眼レンズ部材７０により、視差を有する虚像である立体映像Ａが該ケーシング１０の外部における空中に浮かぶように見えるように投影される。図５に示すように、該色彩プレート３０に相応する空中に浮かぶように見える虚像である立体映像Ａと、該映像フレーム５２に相応する空中に浮かぶように見える虚像であるフレーム映像Ｂと、該接物レンズフレーム６２に相応する空中に浮かぶように見える虚像であるレンズ映像Ｃとが表示されるので、該ケーシング１０と一定の距離を開けている使用者が、両眼視で前記ケーシング１０の外部に投影される立体映像Ａを見ることができることから、従来の万華鏡における変化性、立体感が不足と共に、外部光源を伴わなくては使用できない問題を解決することができる。
【００２７】
図７及び８に示すように、本考案の第二実施形態に係る空中投影式立体視万華鏡は、前記第一実施形態とほぼ同様であるが、該反射鏡部材５０の底部および該接物レンズフレーム６２の前部の底部に光源が設けられると共に、該反射鏡部材５０の裏側に花模様装飾部材５３が設けられる。該花模様装飾部材５３は、該ケーシング１０の外部における空中に浮かぶように見えるように投影される花模様映像Ｄを投影させるためのものであり、立体映像の立体感に寄与することができる。
【００２８】
前記空中投影式立体視万華鏡のスケールアップにあたって、前記接物レンズ６１および前記接眼レンズ７２としての凸レンズを大型凸レンズにしなくてはならないが、大型凸レンズは、材料、光軸および成形などの側面で、困難度が高いものであるので、コストの高騰および製造難度が問題となってしまう。そこで、本考案は、前記大型凸レンズとして、弧状の透明アクリル円盤と透明アクリル板とからなる中空式構成の内部に透明液体を充填してなる中空式凸レンズを提供するので、有効に製造難度および製造コストを低減させ、大型凸レンズの製造難度の増大および製造コストの高騰による問題を解決することができる。
【産業上の利用可能性】
【００２９】
本考案は上記の構成を有するので、立体映像を投射することができる空中投影式立体視万華鏡を提供し、従来の万華鏡における変化性、立体感の不足と共に、外部光源を伴わなくては使用できない問題を解決することができる。
【符号の説明】
【００３０】
１０                    ケーシング
１１                    ベース
１１１                  枠組み
１１２                  傾斜プレート
１２                    カバー
１２１                  覗き穴
１２２                  透明ふた
１２３                  電源スイッチ
１２４                  照明スイッチ
２０                    モーター部材
２１                    固定フレーム
２２                    モーター
２２１                  回転軸
３０                    色彩プレート
３０１                  収容部材
３１                    プレートフレーム
３２                    コネクター
４０                    照明部材
４１                    支持部材
４２                    保持部材
４３                    ランプ
５０                    反射鏡部材
５１                    反射鏡
５２                    映像フレーム
５３                    花模様装飾部材
６０                    接物レンズ部材
６１                    接物レンズ
６２                    接物レンズフレーム
６２１                  丸穴
６３                    遮断プレート
６３１                  貫通孔
７０                    接眼レンズ部材
７１                    接眼レンズフレーム
７１１                  凹入部
７２                    接眼レンズ
Ａ                      立体映像
Ｂ                      フレーム映像
Ｃ                      レンズ映像
Ｄ                      花模様映像
【図１】
0003201330.tif 000003
【図２】
0003201330.tif 000004
【図３】
0003201330.tif 000005
【図４】
0003201330.tif 000006
【図５】
0003201330.tif 000007
【図６】
0003201330.tif 000008
【図７】
0003201330.tif 000009
【図８】
0003201330.tif 000010